(57)【特許請求の範囲】
【請求項１】
写真フイルムとカートリッジとが組み込まれたユニット本体に、撮影レンズ、シャッタ羽根、このシャッタ羽根を閉じ方向に付勢するバネ、このバネの付勢に抗してシャッタ羽根を蹴飛ばして開閉動作させる蹴飛ばしレバーとを有する露光ユニットが組み付けられたレンズ付きフイルムユニットの再生方法において、
撮影済みの写真フイルムをカートリッジとともに取り出した後に回収されたユニット本体を分解して前記露光ユニットを分離し、分離した露光ユニットの全数について撮影レンズの洗浄を装着状態のまま行った後にシャッタ機能検査を行い、このシャッタ機能検査で合格品と判断されたものを再生されるユニット本体に用いるとともに、このシャッタ機能検査で不合格かつ再使用可能と判断されたものについてはシャッタ羽根の交換を行い、しかる後に再度前記シャッタ機能検査を行って合格品と判断されたものを再生されるユニット本体に用いることを特徴とするレンズ付きフイルムユニットの再生方法。
【請求項２】
前記シャッタ機能検査では、焦点面に配置されたエリア型のイメージセンサを用いてシャッタ羽根の開閉時間と、露光量と、光の受光パターンとが測定され、シャッタ羽根の開閉時間が適正範囲外であっても、露光量と光の受光パターンが適正範囲であったものの全数についてシャッタ羽根の交換を行うことを特徴とする請求項１記載のレンズ付きフイルムユニットの再生方法。
【発明の詳細な説明】
【０００１】
【発明の属する技術分野】
本発明は、撮影済みのフイルムが取り出された後のレンズ付きフイルムユニットを効率的に再利用するための方法に関するものである。
【０００２】
【従来の技術】
レンズ付きフイルムユニットは、撮影機構が組み込まれたユニット本体に製造段階で写真フイルムとカートリッジとを予め組み込んだもので、ユーザーに対しては１回の使用が前提となっている。予め装填された写真フイルムに撮影を行った後、レンズ付きフイルムユニットはそのまま現像所に集められ、撮影済みの写真フイルムが巻き込まれているカートリッジの取り出し作業，フイルム現像処理，プリント処理が行われる。そして、現像済みの写真フイルムとプリント写真がユーザーに提供され、カートリッジ取り出し後のユニット本体はレンズ付きフイルムユニットのメーカーが回収する。メーカーでは回収したユニット本体を分解し、基本的には原材料としての再利用（本明細書ではリサイクルという）を行うために、その構成部品を金属，プラスチック，紙など材料の種類ごとに仕分けし、材料ごとに粉砕，溶融などの工程を経て原材料の再生を行っている。
【０００３】
上記のような原材料レベルでのリサイクルのほかに、部品レベルあるいは複数部品からなる機能的に独立したユニット機構部品レベル単位で、そのまま再使用（本明細書ではリユースという）することについても様々な工夫が行われている。例えば特開平５−１９４１９号公報記載のように、ユニット本体を機能的に独立したユニットごとに簡便に分解すことができるように、フイルム収納室及びカートリッジ収納室が一体に形成された本体基部から露光ユニットやストロボユニットを簡便に分解できるようにしたり、あるいは特開平６−１４８８１３号公報記載のように、ユニット本体の分解ラインと製造ラインとを併設し、ユニット本体の再生工程の効率化が図られている。
【０００４】
部品レベルあるいはユニット機構部品レベルでのリユースのためには、製品品質の確保のためにこれらの機能検査が行われる。例えば、上記した露光ユニットはシャッタ羽根を含む複数部品からなり、シャッタ羽根の開閉という機能を果たすユニット機構部品を構成し、単独でシャッタ機能の検査を行うことができる。そこで、本体基部から分離した露光ユニットについては、特開平６−１６１００１号公報記載のようなシャッタテストが行われる。そして、この機能検査に合格したものが良品としてユニット本体の組立ラインに供給され、不合格になったものはさらに細かく分解，粉砕の後、原材料としてのリサイクルが行われる。
【０００５】
【発明が解決しようとする課題】
ところで、原材料としてのリサイクルを行ってゆくと、異物や汚れの混入により原材料の品質が低下してくることが避けられず、資源の活用を図る上では部品レベル，ユニット機構部品レベルでのリユースが好ましい。したがって、機能検査を行って不合格になったものについても、不合格の原因をつきとめて修理や調整作業を行ってリユースすることが望ましいが、このような作業は非常に煩雑なものとなり、再検査，再修正などの工程も必要になる。そして、逆に新たな部品やユニット機構部品を使用した製品よりも製造コストが高くなるということにもなりかねない。
【０００６】
本発明は上記事情を考慮してなされたもので、その目的は、特に可動部品としてシャッタ羽根を含む露光ユニットのリユースを効率的に行い、できるだけ資源の節約を図るとともに、製造コスト面での負担も軽減したレンズ付きフイルムユニットの再生方法を提供することを目的とする。
【０００７】
【課題を解決するための手段】
本発明は上記目的を達成するために、回収されたユニット本体を分解し、撮影レンズ及び、シャッタ羽根及びシャッタ羽根付勢用のバネを可動部品として含む機能的に独立した露光ユニットを分離してまずその全数について装着状態のまま撮影レンズの洗浄を行う。続いてシャッタ機能検査を行って、合格品と判定されたものについては再生されるユニット本体に用い、不合格ではあるが再使用可能と判断されたものについてはシャッタ羽根の交換を行った後、再度のシャッタ機能検査を行って合格したものを再生されるユニット本体に用いるようにしたものである。
【０００８】
シャッタ機能検査では、焦点面に配置されたエリア型のイメージセンサを用いてシャッタ羽根の開閉時間と、露光量と、光の受光パターンとが測定され、シャッタ羽根の開閉時間が適正範囲外であっても、露光量と光の受光パターンが適正範囲であったものは再使用可能と判断し、その全数についてシャッタ羽根の交換を行ってから再度のシャッタ機能検査が行われる。最初のシャッタ機能検査で不合格であっても再使用可能と判断された露光ユニットは、シャッタ羽根の交換を行うことによって不合格要因のほとんどが解消されることが統計的に確認されており、大部分をリユースすることが可能となる。したがって、不合格の細かい要因を検査したり修正や補修といった面倒な工程を行うことなく、高い確率で露光ユニットのリユースができるようになる。
【０００９】
【発明の実施の形態】
図１及び図２に示すように、レンズ付きフイルムユニット２は、ユニット本体３と、写真フイルム４と、カートリッジ５とからなる。ユニット本体３は、プラスチックで成形された本体基部７と、前カバー８、後カバー９とを含む。本体基部７にはカートリッジ室１０とフイルム室１１とが形成され、これらの両室間に写真フイルム４に対する露光範囲を決めるアパーチャ１２が形成されている。
【００１０】
レンズ付きフイルムユニットの組立を行うときには、本体基部７の前面に露光ユニット１４とストロボユニット１５とが装着され、また巻上げノブ１６がカートリッジ室１０の上面に装着された後、本体基部７の上面及び前面を覆うように前カバー８が装着される。そして本体基部７の底面側からカートリッジ５とロール状にした写真フイルム４とがそれぞれカートリッジ室１０，フイルム室１１に装填され、このときにカートリッジ５のスプール５ａが巻上げノブ１６の下面に一体に設けられた巻上げ軸と係合する。
【００１１】
本体基部７の背面に後カバー９を被せ、後カバー９の下辺両端に一体に設けた底蓋９ａ，９ｂを折り曲げてカートリッジ室１０及びフイルム室１１の底部開口を光密に塞いでレンズ付きフイルムユニットの組立が完了する。なお図１に示す符号１７は、レンズ付きフイルムユニット２の組立完了後に表面に貼付けられる化粧用のラベルを表す。
【００１２】
巻上げノブ１６を反時計方向に回転操作すると、スプール５ａがフイルム巻取り方向に回転して写真フイルム１４の巻上げが行われ、写真フイルム４はカートリッジ５の中に巻き込まれる。写真フイルム４には１コマ当り２個のパーフォレーションが形成されており、写真フイルム４の巻上げに伴って２個のパーフォレーションが所定の位置まで移動する間に、露光ユニット１４に組み込まれているスプロケットが一定角度回転する。この回転によってシャッタチャージが行われ、またフイルム１コマ巻上げの完了が検知され、巻き止めがかかる。
【００１３】
前カバー８の上面に一体に形成されたシャッタボタン１８を押し下げると、シャッタボタン１８の下面に一体に延長して形成された押圧片が露光ユニット１４に組み込まれた係止レバーを回転させ、シャッタレリーズ動作が行われる。このシャッタレリーズ動作により露光ユニット１４に組み込まれたシャッタ羽根が開閉動作を行い、露光ユニット１４に組み付けられている撮影レンズ２０を通して１回の撮影が行われる。
【００１４】
撮影に際してストロボ発光が必要なときには、前カバー８の前面に一体に設けられたストロボボタン２１を押圧しておく。これにより、フイルム室１１の前面に組み付けられた接片２２がストロボプリント基板２３の所定位置に設けられた接点パターン部に接触して充電が行われる。そして、シャッタ羽根が全開した瞬間にストロボプリント基板２３に組み付けられたシンクロスイッチ２４がオンし、ストロボ発光が行われる。なお、ストロボプリント基板２３には電池接片を兼ねた電池ホルダ２５が組み付けられ、電池２６はレンズ付きフイルムユニットの製造時に予め取り付けられている。
【００１５】
写真フイルム１４の各コマに撮影を行った後には、そのままの状態でレンズ付きフイルムユニット２は現像所に回収される。現像所では、写真フイルム１４の全てがカートリッジ５内に巻き込まれていることを確認した上で、底蓋９ａを開放してカートリッジ５を取り出す。その後は、一般の撮影済みのカートリッジと全く同様の手順でフイルム現像，プリント処理が行われ、現像済みの写真フイルム４とプリント写真とがユーザーの手元に戻される。
【００１６】
カートリッジ５を取り出した後の使用済みのユニット本体３は、メーカーによって回収される。回収されたユニット本体３は図３に示す手順にしたがって処理される。まず、ユニット本体３の分解に先立ってラベル１７の剥離が行われる。剥離されたラベル１７は、全て原材料としての利用のためにリサイクル工程に廻される。ユニット本体３の分解により、本体基部７，前カバー８，後カバー９，露光ユニット１４，ストロボユニット１５，巻上げノブ１６に分離される。
【００１７】
これらのうち、本体基部７，前カバー８，後カバー９，巻上げノブ１６のそれぞれは、原材料としての再利用のためにリサイクル工程に回される。これらの部品は全て組成を共通にするプラスチックの成形品であるから、一括して破砕，溶融することができ、ペレット化を行うことによって、新たなユニット本体３を製造するときの原材料にし、あるいは他のプラスチック成形品の材料としてリサイクルすることができる。なお、前カバー８，後カバー９，巻上げノブ１６は全て外観に現れる部品で、使用後には汚れや破損が懸念されるのに対し、本体基部７は外観に現れない部品である。したがって、本体基部７に対しては、後述する実施の形態で説明するようにリユースの対象にすることもできる。
【００１８】
写真撮影時に最も重要な機能を果たすユニット機構部品である露光ユニット１４はリユース対象となっている。図４に示すように、露光ユニット１４はプラスチック成形品のベース部材３０に複数の部品を組み込んで構成されており、この露光ユニット１４は、本体基部７の前面側に角筒状に突出した遮光筒の前面に爪結合により分離自在に組み付けられる。ベース部材３０にはレンズ枠も一体化されており、図示のようにファインダー用の対物，接眼レンズが取り付けられ、それぞれ前カバー７，後カバー９に形成された対物窓，接眼窓から露呈する。
【００１９】
ベース部材３０の前面は、所要部にピン及び軸を突出させた平坦面となっており、ピンと孔との係合を利用してスペーサシート３１が位置決めして装着され、さらに軸３２にはシャッタ羽根３３が回転自在に組み付けられている。スペーサシート３１は低摩擦の薄いプラスチックシートで構成され、シャッタ羽根３３の裏面に摺接してシャッタ羽根３３の回転を円滑に行わせる作用を行う。シャッタ羽根３３に突設したピンと、ベース部材３０に突設したピンとの間にバネ３４が取り付けられ、シャッタ羽根３３を閉じ方向に付勢している。
【００２０】
シャッタ羽根３３，バネ３４を覆うようにピンと孔との係合による位置決めが行われ、シャッタカバー３５がベース部材３０に爪結合により取り付けられる。シャッタカバー３５の前面に形成された筒部に撮影レンズ２０を嵌め、その上からレンズホルダ３６を爪結合で組み付けることによって撮影レンズ２０はシャッタカバー３５に保持される。
【００２１】
ベース部材３０の上面に軸３８，３９，軸受け部４０が形成されている。軸３８には、蹴飛ばしレバー４１，第１バネ４２，カウンタ板４３が順に挿入される。軸３９には、第２バネ４４，係止レバー４５が順に挿入される。軸受け部４０には、カム部材４６が挿入される。カム部材４６と一体の軸の下端には、スプロケット４８が嵌め込まれる。スプロケット４８は、１８０°の回転対称となる位置に一対の爪が２組設けられている。ベース部材３０の上面には板バネ４９が組み付けられ、その一端がカム部材４６の回転軌跡内に入り込んでいる。
【００２２】
天板５０は爪結合によってベース部材３０に組み付けられ、軸３８，３９、カム部材４６の軸の上端が位置決めされると同時に、これらの上端の相対位置が固定される。これにより、第１，第２バネ４２，４４の付勢力が常時加わっていても、軸３８，３９あるいはカム部材４６の軸が変形して相互の軸間距離が変わるといった問題を解消することができる。また、蹴飛ばしレバー４１，係止レバー４５，カム部材４６は、その作動時にそれぞれを支持している軸３８，３９あるいは軸受け部４０と摺接しながら回転する。したがって、これらの部材、あるいはベース部材３０は、耐摩耗性に富んだプラスチック材料で作られている。なお、天板５０は透明なプラスチックで作られており、カウンタ板４３の目盛を拡大して観察するためのレンズ部５１も一体に形成されている。
【００２３】
巻上げノブ１６を回転操作して写真フイルム４が移送され、２個のパーフォレーションが移動してくると、スプロケット４８の一対の歯が順次にこれらに係合する。この係合が確実に行われるように、板バネ４９はカム部材４６を介してスプロケット４８を反時計方向に付勢しており、一対の歯のうち先行する歯が写真フイルム４に押しつけるようにしている。
【００２４】
一対の歯がパーフォレーションに順次に係合すると、写真フイルム４の移送によりスプロケット４８を介してカム部材４６が反時計方向に回転してゆく。この回転によって蹴飛ばしレバー４１が第１バネ４２の付勢に抗してチャージ方向に回転する。蹴飛ばしレバー４１がチャージ完了位置に達すると係止レバー４５の係止が解かれ、係止レバー４１は第２バネ４４の付勢により時計方向に回転して巻上げノブ１６の回転をロックし、１コマ巻き止めが行われる。また、この係止レバー４１の回転により蹴飛ばしレバー４１がチャージ位置に係止される。
【００２５】
１コマ巻上げの完了直前から板バネ４９がカム部材４６を付勢するようになっており、スプロケット４８の歯がパーフォレーションから抜け出たときにスプロケット４８がカム部材４６とともに反時計方向にクリック回転し、他方の一対の歯のうちの先行する歯が写真フイルム４に押しつけられる。このように、フイルム巻上げ操作を行うと、写真フイルム４の移送に従動してカム部材４６，スプロケット４８が１８０°回転する間にシャッタチャージが行われ、またカウンタ板４３もカム部材４６の回転によって一歩進される。
【００２６】
シャッタボタン１８の押し下げにより、係止レバー４５が反時計方向に回転して蹴飛ばしレバー４１の係止が解除されると、蹴飛ばしレバー４１が第１バネ４２の付勢により時計方向に回転する。これによりシャッタ羽根３３の上端の小突起が蹴飛ばされ、シャッタ羽根３３がバネ３４の付勢に抗して時計方向に回転してベース部材３０に形成された撮影開口５３を開放し、写真フイルム４への露光が行われる。開放の後には、バネ３４の付勢によりシャッタ羽根３３は閉じ位置に戻り、撮影開口５３が閉じられて露光が完了する。上記のようにして蹴飛ばしレバー４１がチャージ位置からレリーズ完了位置まで回転すると、蹴飛ばしレバー４１が係止レバー４５をアンロック位置に保持し、巻上げノブ１６はロック解除状態となるから、次回の撮影のためにフイルム巻上げ操作を行うことができ、以後は上記作用の繰り返しにより順次に撮影を行ってゆくことができる。
【００２７】
上述したように、露光ユニット１４はカム部材４６あるいはスプロケット４８を外部から回転させ、さらに係止レバー４５を外部から回転させることによって、これ自体で撮影機能を果たすことができるようになっている。したがって、専用の検査装置にこの露光ユニット１４だけをセットしてリユースの前提となるシャッタ機能検査を行うことが可能である。
【００２８】
そこで、回収されたユニット本体３を分解し、本体基部７から分離された露光ユニット１４に対しては、そのリユースのために以下の工程が適用される。まず露光ユニット１４の全数について撮影レンズ２０の表面の洗浄の後、露光ユニット１４を専用の測定器上に位置決めしてシャッタ機能検査が行われる。撮影レンズ２０の洗浄処理には、例えば特願平８−２１６３８９号に記載された装置を用いることができる。
【００２９】
シャッタ機能検査に際しては、撮影レンズ２０の前面に一定光量の平行光束を入射させておき、シャッタレリーズを行ってシャッタ羽根を開閉させる。アパーチャ１２の背後の焦点面にエリア型のＣＣＤイメージセンサが配置されており、その出力信号に基づいて、光の照射時間（シャッタ秒時に相当）と、光量（撮影レンズ２０の透過率に相当）と、光の受光パターン（撮影レンズ２０のレンズ面精度に相当）が検査される。
【００３０】
シャッタ秒時の検査は、特開平６−１６１００１号公報に記載された手法で行うことができる。露光ユニット１４がリユースに耐え得るか否かの最も大きな要因はこのシャッタ秒時の再現性にある。レンズ付きフイルムユニットは、その使用の簡便性から様々な環境で手軽に用いられているため、砂などの異物が露光ユニット１４の中に入り込んでいることが少なくない。特に、このような異物がシャッタ羽根３３の周囲に混入していると、シャッタ羽根３３の開閉が不安定になりやすい。そこで、まずシャッタ秒時が適正範囲内であるか否かが検査され、これを満足しないものはＮＧ品となる。
【００３１】
シャッタ秒時が適正範囲内であっても、光量不足のもの、あるいは光の受光パターンが画面中心の点以外に、周辺部に規定レベル以上の広がりをもっているものは、撮影レンズ２０の汚れがひどいもの、あるいは撮影レンズ２０の表面に傷が入っているものと考えられるから、これらの露光ユニット１４もＮＧ品となる。このシャッタ機能検査を通った合格品は、次に外観検査が行われる。外観検査は、ビデオカメラで露光ユニット１４を多方向から撮像し、その形状が基準パターンと整合しているか否かを画像処理により自動判定する。この外観検査の合格品がリユース工程に送られる。
【００３２】
また、シャッタ機能検査の結果、シャッタ秒時が適正範囲外であっても、光量がそのシャッタ秒時に対応したレベルであり、しかも受光パターンに異常がないＮＧ品▲１▼については、次のシャッタ羽根交換工程に送られる。それ以外のＮＧ品▲２▼についても撮影レンズ２０の交換を行うことによってリユース品として復活させることも可能であるが、この実施形態ではリユース対象外となってリサイクル工程へと回される。
【００３３】
シャッタ羽根交換工程では、バネ３４が外れていないことを確認した上で、露光ユニット１４からシャッタカバー３５を取り外し、スペーサシート３１，シャッタ羽根３３，バネ３４の３部品を交換する。そして、バネ３４が外れているものについては、矯正作業としてバネ３４を所定の位置にかけわたす。シャッタカバー３５を外すときには、撮影レンズ２０もシャッタカバー３５と一体となって外されるから、撮影レンズ２０が単体で分離することがなく好都合である。また、この交換作業は手作業で行われるが自動機を用いることも可能である。露光ユニット１４の不良原因は、前述したようにシャッタ羽根回りに異物が混入してシャッタ秒時が不安定になることがほとんどであるから、この交換作業を行ったサンプルのほとんどは再びシャッタ機能検査を行ったときには合格品となり、リユースすることができる。シャッタ機能の再検査で再度ＮＧ品となったものは、ＮＧ品▲２▼となってリサイクル工程に送られる。
【００３４】
上記のように、露光ユニット１４に対しては、その全数に対して撮影レンズの洗浄，シャッタ機能検査を行うようにしているから、ここまでの工程については自動化処理を行うことができる。そして、シャッタ機能検査で最も不良率が高いシャッタ秒時の不安定性については、それらのサンプルに対して一括してスペーサシート３１，シャッタ羽根３３，バネ３４の交換を行うようにしているから、これについても比較的簡便に自動化処理が可能となる。このシャッタ羽根交換工程を経たＮＧ品▲１▼は、そのほとんどをリユース品として復活できることが統計的に確認されており、あまり面倒な手間をかけることなくローコストで効率的なリユースができるようになる。
【００３５】
さらに、本体基部７から分離されたストロボユニット１５に対しては、まず電池２６の取り外しが行われた後、その全数についてプロテクタ洗浄、電池接片の修正、シンクロスイッチの交換が行われる。プロテクタは、図１あるいは図２に符号５３で示す部品で、ストロボ発光管の前面を保護するために透明なプラスチックで成形されている。プロテクタ洗浄は、例えば特開平６−１７５２９６号公報に記載されたような自動機で行うことができる。
【００３６】
ストロボユニット１５をリユースするときの不良原因としては、そのほとんどがシンクロスイッチ２４の変形と、電池接片２５の変形である。したがって、本体基部７から分離されたストロボユニット１５の全数について、これらの不良原因にまず対策を施す。シンクロスイッチ２４の交換作業を簡便にするために、シンクロスイッチ２４はストロボプリント基板２３にハンダ付けされておらず、やはり爪結合によって電気的，機械的にストロボプリント基板２３と連結されている。また、電池接片２５の曲がり矯正は、ビデオカメラで多方向から電池接片２５を撮像し、その形状が基準パターンと整合するようにエアシリンダ等で駆動される曲がり矯正部材を電池接片２５に押しつけることによって行われる。
【００３７】
上記の工程を通すことによって、ストロボユニット１５のほとんどがリユース適合品として利用することが可能となる。そしてストロボ機能検査では、専用の検査用パレットにストロボユニット１５が位置決めされ、検査機を順次に通過してゆく過程で、充電時間の測定、シンクロスイッチ投入後の発光タイミングの測定、発光量の測定が行われ、これらの検査をクリアしたサンプルはリユース工程に回される。そして、ＮＧ品については、検査項目のいずれが不良であったかにかかわらず、そのままリサイクル工程に送られる。
【００３８】
このように、ストロボユニット１５に対しても、確率的に最も高い不良要因については、回収されたストロボユニット１５の全数についてその手当を施すようにしているから、これらの手当を自動的に処理することも容易である。また、細かい要因について様々な検査を行わなくても、上記手当でそのほとんどをリユース品として選別することができ、やはり露光ユニット１４と同様、ローコストでリユースを行うことが可能となる。
【００３９】
以上、図示した実施形態に基づいて本発明について説明してきたが、露光ユニット１４のシャッタ羽根交換作業を簡便にするために、シャッタカバー３５を外さなくてもシャッタ羽根３３を取り外しできるようにしておくことが効果的である。このためには、シャッタ羽根３３をその表裏をカバーするプラスチック製の２枚の支持プレートとともにバネ３４を含めてユニット化しておき、支持プレートごと露光ユニット１４から引き抜きできるようにしておけばよい。
【００４０】
また、露光ユニット１４は必ずしも本体基部７から分離できるユニット形態にしておかなくてもよい。例えば、軸３８，３９，軸受け部４０を本体基部７に一体に設け、これらに蹴飛ばしレバー４１などの部品を組み付けるようにすることも可能である。この場合には本体基部７を含めて露光ユニットとして取り扱い、シャッタ機能検査で合格したものは本体基部７ごとリユースすればよく、これによりさらにリユース対象となる部品を増やすことができる。
【００４１】
【発明の効果】
上記のように、本発明では使用済みになって回収されたユニット本体を分解した後、可動部品としてシャッタ羽根を含む機能的に独立した露光ユニットを分離し、その全数について撮影レンズを装着状態のまま洗浄してからシャッタ機能検査を行い、この検査で合格したものは再生されるユニット本体に用いるようにしている。さらに、前記シャッタ機能検査で不合格であったとしても再利用可能と判断された露光ユニットについては、その全数に対して特に不良発生確率が高いシャッタ羽根の交換を一律に行い、再度のシャッタ機能検査を行って合格したものは再生されるユニット本体に用いるようにしたから、他項目にわたる複雑な検査工程の後に、各々の不良に応じて多岐にわたる部品交換や補修を経てリユースを行う手法と異なり、リユースの得率を高く保ちながらも、製造コストを高くせずに簡便かつ効率的な露光ユニットのリユースを行うことができる。
【図面の簡単な説明】
【図１】レンズ付きフイルムユニットの外観図である。
【図２】レンズ付きフイルムユニットの分解斜視図である。
【図３】本発明の工程を示す概略図である。
【図４】露光ユニットの分解斜視図である。
【符号の説明】
２  レンズ付きフイルムユニット
３  ユニット本体
７  本体基部
８  前カバー
９  後カバー
１４  露光ユニット
１５  ストロボユニット
【図１】
0003616208.tif 000002
【図２】
0003616208.tif 000003
【図３】
0003616208.tif 000004
【図４】
0003616208.tif 000005